(57)【要約】      （修正有）【課題】マスクの耳かけ紐の長さ調整が容易となる耳かけ紐の調整装置を提供する。【解決手段】既製品マスクの耳かけ紐に円筒形パイプの片側に耳かけ紐２の逆行を防止する鋭角な切れ込みを設けて調整装置を形成する。すなわち、耳かけ紐２を円筒形パイプ３に必要な長さを挿入し、押し出された紐の輪４を内側から押し広げると、当該紐は鋭角な切れ込みに滑り落ち、その切れ込みの谷間に保持され逆行を防止する。また、押し出された紐の輪４を鋭角な切れ込みの谷間と反対方向に引っ張ると、その保持の状態は外れて何度でもやり直しができる。【選択図】図１
0003170683.tif 000002
【実用新案登録請求の範囲】
【請求項１】
マスクの耳かけ紐の長さを随意に調節する目的に、円筒形パイプの片側に耳かけ紐の逆行を防止する鋭角な切れ込みを有する調整装置。
【請求項２】
円筒形パイプに耳かけ紐の逆行を防止する角度を付けた突起物を有する請求項１の調整装置。
【請求項３】
円筒形パイプの素材を不可逆なものを用い、任意の長さの位置で当該パイプを圧着又は折り曲げて、耳かけ紐の逆行を防止する請求項１の調整装置。
【考案の詳細な説明】
【技術分野】
【０００１】本考案は、マスクの耳かけ紐の長さを随意に調整する装置の形状に関する。
【背景技術】
【０００２】従来のマスクの耳かけ紐の長さ調整は、バックルなどを用い随意調整し使用していたが、近年は使い捨て不織布マスクが主流になり、低コストで量産体制を背景に製造工程にバックルを組み込むことは容易ではなくなった。よって、サイズを大雑把な分類で対応し、既製品マスクとして市場に提供されている。
【考案の概要】
【考案が解決しようとする課題】
【０００３】しかしながら、利用者の頭部及び顔面の大きさや形状は千差万別であり、耳かけ紐の弾力や伸縮による許容だけでは装着感に充分な満足が得られなかった事を課題とする。
【課題を解決するための手段】
【０００４】以上の課題を解決するために、請求項１は、既製品マスクの紐に円筒形パイプの片側に耳かけ紐の逆行を防止する鋭角な切れ込みを有する調整装置を提供する。また、請求項２は、請求項１の鋭角な切れ込みと効果を同じとする耳かけ紐の逆行を防止する角度を付けた突起物を有するものであり、請求項３は、円筒形パイプの素材を不可逆なものを用い、耳かけ紐を挿入し任意の長さの位置で当該パイプを圧着又は折り曲げて耳かけ紐の逆行を防止し、課題を解決するための手段とする。
【考案の効果】
【０００５】大量生産と低コストによる画一化された既製品マスクの耳かけ紐に、本考案の調整装置を提供することで、頭部及び顔面の大きさや形状に違いがあるそれぞれの利用者の装着に満足感が得られると共に、マスク本来の機能の一つである密着性がより満たされる。
【考案を実施するための形態】
【０００６】請求項１は、耳かけ紐２を円筒形パイプ３に必要な長さを挿入し、押し出された紐の輪４を内側から押し広げると、当該紐は鋭角な切れ込み５に滑り落ち、その切れ込みの谷間に保持され逆行を防止する。また、押し出された紐の輪４を鋭角な切れ込み５の谷間と反対方向に引っ張ると、その保持の状態は外れて何度でもやり直しができる。よって最適な耳かけ紐の長さ調整が可能となる。
【０００７】請求項２は、請求項１と同様に耳かけ紐２を円筒形パイプ３に必要な長さを挿入し、押し出された紐の輪４は、任意の位置で突起物６により保持され耳かけ紐の長さ調整が可能となる。
【０００８】請求項３は、円筒形パイプの素材を不可逆なものを用い、耳かけ紐２を不可逆な素材の円筒パイプ７に必要な長さを挿入し、任意の長さの位置で当該パイプを圧着又は折り曲げて、耳かけ紐の逆行を防止し耳かけ紐の長さ調整が可能となる。
【実施形態の効果】
【０００９】画一化された既製品マスクに、本考案の耳かけ紐の長さを随意に調整することが可能とした調整装置を提供することで、頭部及び顔面の大きさや形状に違いがあるそれぞれの利用者の装着に満足感が得られると共に、マスク本来の機能の一つである密着性がより満たされる。
【図面の簡単な説明】
【図１】実施斜視図（部分図）
【図２】円筒パイプと鋭角な切れ込みの斜視図
【図３】円筒形パイプに突起物がある断面図
【図４】不可逆な素材の円筒パイプの実施斜視図
【符号の説明】１    マスク
２    耳かけ紐
３    円筒形パイプ
４    押し出された紐の輪
５    鋭角な切れ込み
６    突起物
７    不可逆な素材の円筒形パイプ
【図１】
0003170683.tif 000003
【図２】
0003170683.tif 000004
【図３】
0003170683.tif 000005
【図４】
0003170683.tif 000006
【手続補正書】
【提出日】平成23年7月4日(2011.7.4)
【手続補正１】
【補正対象書類名】実用新案登録請求の範囲
【補正対象項目名】全文
【補正方法】変更
【補正の内容】
【実用新案登録請求の範囲】
【請求項１】
マスクの耳かけ紐の長さを随意に調節する目的に、円筒形パイプの片側に耳かけ紐を任意の位置に固定し、逆行を防止する機能がある鋭角な切れ込みを有する調整装置。
【手続補正２】
【補正対象書類名】明細書
【補正対象項目名】全文
【補正方法】変更
【補正の内容】
【考案の詳細な説明】
【技術分野】
【０００１】本考案は、マスクの耳かけ紐の長さを随意に調整する装置の形状に関する。
【背景技術】
【０００２】従来のマスクの耳かけ紐の長さ調整は、バックルなどを用い随意調整し使用していたが、近年は使い捨て不織布マスクが主流になり、低コストで量産体制を背景に製造工程にバックルを組み込むことは容易ではなくなった。よって、サイズを大雑把な分類で対応し、既製品マスクとして市場に提供されている。
【考案の概要】
【考案が解決しようとする課題】
【０００３】しかしながら、利用者の頭部及び顔面の大きさや形状は千差万別であり、耳かけ紐の弾力や伸縮による許容だけでは装着感に充分な満足が得られなかった事を課題とする。
【課題を解決するための手段】
【０００４】以上の課題を解決する手段として、既製品マスクの紐に円筒形パイプの片側に、耳かけ紐を任意の位置に保持し逆行を防止する鋭角な切れ込みを有する調整装置を提供する。
【考案の効果】
【０００５】大量生産と低コストによる画一化された既製品マスクの耳かけ紐に、本考案の調整装置を提供することで、頭部及び顔面の大きさや形状に違いがあるそれぞれの利用者の装着に満足感が得られると共に、マスク本来の機能の一つである密着性がより満たされる。
【考案を実施するための形態】
【０００６】耳かけ紐２を円筒形パイプ３に必要な長さを挿入し、押し出された紐の輪４を内側から押し広げると、当該紐は鋭角な切れ込み５に滑り落ち、その切れ込みの谷間に保持され逆行を防止する。また、押し出された紐の輪４を鋭角な切れ込み５の谷間と反対方向に引っ張ると、その保持の状態は外れて何度でもやり直しができる。よって、最適な耳かけ紐の長さの調整が可能となる。
【実施形態の効果】
【０００７】画一化された既製品マスクに、本考案の耳かけ紐の長さを随意に調整することが可能とした調整装置を提供することで、頭部及び顔面の大きさや形状に違いがあるそれぞれの利用者の装着に満足感が得られると共に、マスク本来の機能の一つである密着性がより満たされる。
【図面の簡単な説明】
【図１】実施斜視図（部分図）
【図２】円筒パイプと鋭角な切れ込みの斜視図
【符号の説明】１    マスク
２    耳かけ紐
３    円筒形パイプ
４    押し出された紐の輪
５    鋭角な切れ込み
【手続補正３】
【補正対象書類名】図面
【補正対象項目名】図３
【補正方法】削除
【補正の内容】
【手続補正４】
【補正対象書類名】図面
【補正対象項目名】図４
【補正方法】削除
【補正の内容】